(57)【特許請求の範囲】
【請求項１】
容器の少なくとも一部を熱収縮性の発泡樹脂シートで覆った状態で、当該発泡樹脂シートを加熱収縮させて前記容器に装着させたラベル付容器であって、
前記発泡樹脂シートは、加熱された場合に所定の一軸方向である主収縮方向に主に収縮する熱収縮性を有するとともに、当該主収縮方向が容器の周方向となるべく容器の少なくとも一部を覆っており、
前記発泡樹脂シートには、１以上の滑止部が設けられており、
前記滑止部は、前記発泡樹脂シートに事前形成された切込線の縁部が熱収縮により突出した微小突起を１以上備え、
前記切込線は、
主切込線と、
当該主切込線の両端または両端近傍において当該主切込線に交差する切込であって、前記主切込線の端部近傍における突出を助長する補助切込線と、
を有することを特徴とするラベル付容器。
【請求項２】
請求項１に記載のラベル付容器であって、
前記切込線は、前記主収縮方向に対する角度が０度以上４５度以下であることを特徴とするラベル付容器。
【請求項３】
請求項１または２に記載のラベル付容器であって、
前記切込線は、２以上形成されており、
当該２以上の切込線は、前記主収縮方向に対して略直交する方向に並んで配置されることを特徴とするラベル付容器。  
【請求項４】
熱収縮性の発泡樹脂シートからなり、容器の少なくとも一部を覆った状態で加熱されることで収縮して容器に密着する包装ラベルであって、
前記発泡樹脂シートは、加熱された場合に所定の一軸方向である主収縮方向に主に収縮する熱収縮性を有するとともに、当該主収縮方向が容器の周方向となるべく容器の少なくとも一部を覆っており、
前記発泡樹脂シートには、１以上の滑止部が設けられており、
前記滑止部は、前記発泡樹脂シートに事前形成された切込線の縁部が、熱収縮により突出した微小突起を１以上備え、
前記切込線は、
主切込線と、
当該主切込線の両端または両端近傍において当該主切込線に交差する切込であって、前記主切込線の端部近傍における突出を助長する補助切込線と、
を有することを特徴とする包装ラベル。
【発明の詳細な説明】
【技術分野】
【０００１】
本発明は、熱収縮性の発泡樹脂シートからなる包装ラベル、および、当該包装ラベルが装着されたラベル付容器に関する。
【背景技術】
【０００２】
熱収縮性の発泡樹脂シートからなる包装ラベルは、比較的、良好な断熱性を有している。そのため、かかる包装ラベルは、断熱性を要する容器、例えば、熱湯などを注ぐことで飲食可能となる即席食品の収容容器であって、当該即席食品を飲食する際には器として使用される容器に装着される場合が多い。
【０００３】
こうした容器に関しては、従来から、手持ち滑落を防止するために技術が多数提案されている。例えば、特許文献１には、予め多数の突部が形成された断熱帯をコップ外周面に巻き付けることで、手持ち滑落を防止する技術が開示されている。また、特許文献２には、滑落防止のために貫通孔と当該貫通孔の周縁に肉盛り部とが形成された積層シートを容器の外側面に添設することが開示されている。こうした技術によれば、手持ち滑落は、ある程度防止することができる。
【０００４】
【特許文献１】特開２００３−８８４５７号公報
【特許文献２】特開２００５−１３２０６７号公報
【発明の開示】
【発明が解決しようとする課題】
【０００５】
しかしながら、手持ち滑落を効果的に防止するために、特許文献１では、エンボス加工や、熱間プレス成形などの特殊技術を用いて突起を事前形成しておく必要があり、その製造工程が煩雑になりやすいという問題があった。また、特許文献２でも、容器製造のための射出成形時に、凹凸部形成のために空気吸引という特殊な工程を設けることが必要で、非常に手間であった。
【０００６】
つまり、従来の技術では、滑落を効果的に防止でき、簡易に製造でき得る包装ラベルおよびラベル付容器を得ることは困難であった。
【０００７】
そこで、本発明は、より簡易に製造でき得る滑り止め機能付の包装ラベル、および、当該包装ラベルが装着されたラベル付容器を提供することを目的とする。
【課題を解決するための手段】
【０００８】
本発明のラベル容器は、容器の少なくとも一部を熱収縮性の発泡樹脂シートで覆った状態で、当該発泡樹脂シートを加熱収縮させて前記容器に装着させたラベル付容器であって、前記発泡樹脂シートは、加熱された場合に所定の一軸方向である主収縮方向に主に収縮する熱収縮性を有するとともに、当該主収縮方向が容器の周方向となるべく容器の少なくとも一部を覆っており、前記発泡樹脂シートには、１以上の滑止部が設けられており、前記滑止部は、前記発泡樹脂シートに事前形成された切込線の縁部が、熱収縮により突出した微小突起を１以上備え、前記切込線は、主切込線と、当該主切込線の両端または両端近傍において当該主切込線に交差する切込であって、前記主切込線の端部近傍における突出を助長する補助切込線と、を有することを特徴とする。
【０００９】
好適な態様では、前記切込線は、前記主収縮方向に対する角度が０度以上４５度以下である。この場合、前記切込線は、前記主収縮方向に対する角度が０度以上１０度以下であることが望ましい。
【００１０】
他の好適な態様では、前記切込線は、２以上形成されており、当該２以上の切込線は、前記主収縮方向に対して略直交する方向に並んで配置される。
【００１１】
他の好適な態様では、前記滑止部は、容器の底部から、容器の全長の１／２以上離れた高さ位置に形成される。他の好適な態様では、前記滑止部は、互いに１８０度離れた二箇所に、それぞれ形成される。
【００１２】
他の本発明である包装ラベルは、熱収縮性の発泡樹脂シートからなり、容器の少なくとも一部を覆った状態で加熱されることで収縮して容器に密着する包装ラベルであって、前記発泡樹脂シートは、加熱された場合に所定の一軸方向である主収縮方向に主に収縮する熱収縮性を有するとともに、当該主収縮方向が容器の周方向となるべく容器の少なくとも一部を覆っており、前記発泡樹脂シートには、１以上の滑止部が設けられており、前記滑止部は、前記発泡樹脂シートに事前形成された切込線の縁部が、熱収縮により突出した微小突起を１以上備え、前記切込線は、主切込線と、当該主切込線の両端または両端近傍において当該主切込線に交差する切込であって、前記主切込線の端部近傍における突出を助長する補助切込線と、を有することを特徴とする。
【発明の効果】
【００１３】
本発明によれば、熱収縮により、切込線の縁部が突出した微小突起が存在するので、容器の滑落が効果的に防止される。また、この微小突起は、切込線を事前形成するという簡易な工程を追加するだけで形成できる。つまり、本発明によれば、滑り止め機能付の包装ラベル、および、ラベル付容器を、より簡易に製造できる。
【発明を実施するための最良の形態】
【００１４】
以下、本発明の実施形態について図面を参照して説明する。図１は、本発明の実施形態であるラベル付容器１０の概略斜視図である。このラベル付容器１０は、熱湯を注ぐことで飲食可能となる即席食品（例えば、即席麺、スープ、味噌汁、コーヒーなど）などを収容する場合に好適な容器で、適度な断熱性を有している。
【００１５】
このラベル付容器１０は、容器本体１２と、当該容器本体１２を覆う包装ラベル１４と、に大別される。容器本体１２は、合成樹脂を射出成形やブロー成形などの成形方法により成形、あるいは、合成樹脂からなるシートを真空成形または圧空成形などの成形方法により成形した樹脂成形品である。合成樹脂としては、例えば、ポリエチレンテレフタレート（ＰＥＴ）などのポリエステル、ポリプロピレン、ポリエチレン、ポリスチレン、あるいは、これらを発泡させた発泡樹脂などを採用することができる。また、シートとしては、前記合成樹脂の単層シートまたはガスバリア性を有する樹脂などとの積層シートなどを採用することができる。なお、図１では、容器本体１２を、上方向に向かってテーパ状に拡径する有底円筒形状として図示しているが、当然、他の形状、例えば、略角柱形状や略錐台形状であってもよい。
【００１６】
包装ラベル１４は、外側となる面に文字や図柄などの印刷が施された熱収縮性の発泡樹脂シート１６から構成される。この発泡樹脂シート１６は、主に一軸方向に延伸されるとともに、加熱時には当該延伸方向に大きく収縮するようになっている。そして、発泡樹脂シート１６は、この延伸方向が容器本体１２の周方向となるように容器本体１２に装着される。以下では、この延伸方向、すなわち、発泡樹脂シート１６が主に収縮する方向のことを「主収縮方向Ｘ」と呼ぶ。
【００１７】
ここで、この発泡樹脂シート１６の熱収縮率は、主収縮方向Ｘにおける熱収縮率（１６０℃に相当するグリセリンバスに５秒間浸漬）が、５０％以上、好ましくは６０％以上、より好ましくは７０％以上である。また、発泡樹脂シート１６は、他方向（主収縮方向に直交する方向）にも若干、熱収縮する。この他方向における熱収縮率（１６０℃に相当するグリセリンバスに５秒間浸漬）が、約０．５％〜２０％程度のものが例示される。なお、熱収縮率（％）＝［｛（収縮前の長さ）−（収縮後の長さ）｝／（収縮前の長さ）］×１００である。
【００１８】
ここで発泡樹脂シート１６は、比較的、高い断熱性を有することが要求されている。そのため、発泡樹脂シート１６は、例えば、発泡ポリスチレンなどの発泡樹脂からなる単層シート、または、発泡樹脂層の片面または両面に非発泡樹脂層を有する積層シートからなる。これらシート中の発泡樹脂の発泡倍率は、通常２〜１０倍、好ましくは２．５〜７倍である。ここで、発泡樹脂としては、公知の発泡樹脂を用いることができ、具体的には、例えば、ポリプロピレン系樹脂、ポリエチレン系樹脂、ポリエステル系樹脂、ポリスチレン系樹脂などが挙げられ、特に、断熱性、剛性に優れることから発泡ポリスチレン系樹脂が好ましい。かかる発泡ポリスチレン系樹脂は、汎用ポリスチレンを各種発泡剤によって発泡したものや、ポリスチレンにブタジエン、アクリロニトリル、メタクリル酸、アクリル酸、アクリル酸エステル類などを共重合させたコポリマを主成分とし、かつ、そのスチレン成分を５０重量％以上（好ましくは７０重量％以上）含有したものを各種発泡剤によって発泡したもの、などである。なお、これらシート中の発泡樹脂層の厚さは、通常０．１〜１．０ｍｍ、好ましくは０．２〜０．５ｍｍとすることが望ましい。
【００１９】
非発泡樹脂層としては、ポリスチレン、スチレン・ブタジエン共重合体、スチレン・アクリル酸共重合体などのポリスチレン系樹脂、または、これらの混合物やこれらにポリエチレン、エチレン酢酸ビニル共重合体などの樹脂を混合したポリスチレン系樹脂が好ましいが、ポリエチレン系樹脂やポリプロピレン系樹脂、ポリエステル系樹脂なども使用できる。なお、非発泡樹脂層の厚さは、通常５〜１００μｍ、好ましくは１０〜７０μｍとすることが望ましい。
【００２０】
包装ラベル１４（発泡樹脂シート１６）には、容器本体１２に収容される即席食品の商品名やイメージ写真、原料などを示す文字や図柄が印刷されている。この印刷は、例えば、グラビア印刷などの公知技術を用いて単色または多色刷りすることによって実現される。また、発泡樹脂シート１６が、上述の積層シートである場合、上記印刷は、非発泡樹脂層の内面（発泡樹脂層との積層面）に施されることが望ましい。包装ラベル１４のうち、こうした印刷内容の視認を阻害しないような位置には、滑止部１８が設けられている。
【００２１】
滑止部１８は、ラベル付容器１０の手からの滑落を防止するための部位で、複数の切込線２０が形成された部位である。各切込線２０は、発泡樹脂シート１６を熱収縮させる前の段階で形成されている。そして、発泡樹脂シート１６が熱収縮した場合、切込線２０の縁部が突出して、ラベル付容器１０を保持する指の滑りを防止する微小突起を形成する。これについて図２、図３を用いて説明する。
【００２２】
図２（ａ）は、熱収縮前の滑止部１８周辺の正面図であり、図２（ｂ）は、熱収縮後の滑止部１８周辺の正面図である。また、図３（ａ）は、図２（ｂ）のＡ−Ａ断面図、図３（ｂ）は図２（ｂ）のＢ−Ｂ断面図である。
【００２３】
図２（ａ）に図示するとおり、本実施形態における切込線２０は、熱収縮前の状態では、容器本体１２の周方向、換言すれば、主収縮方向Ｘに延びる一直線状の切込線である。この切込線２０は、発泡樹脂シート１６が主収縮方向Ｘに熱収縮すると、その縁部がメクれ上がる（突出する）とともに、切込線２０が広がって横長の孔２０ａが形成される。図３（ａ）、（ｂ）に図示するとおり、メクれ上がった縁部は、外側に突出した微小突起２２となる。ここで、発泡樹脂シート１６は、比較的、肉厚であるため、当該発泡樹脂シート１６がメクれ上がって形成される微小突起２２は、適度な硬さ（具体的には、ユーザが指で押えても潰れない程度の硬さ）を備えることになる。そして、この適度な硬さを備えた微小突起２２が、容器１０を手持ち保持しているユーザの指に引っ掛かることで、容器１０の滑落が防止される。なお、図３（ａ）および（ｂ）の比較から明らかなとおり、微小突起２２の突出量（縁部のメクれ量）は、均一ではなく、切込線２０の両端に近づくほど、突出量は小さくなる。
【００２４】
ここで、本実施形態において、切込線２０を、主収縮方向Ｘ（周方向）に延びる一直線状とした理由について図４を参照して説明する。図４は、主収縮方向Ｘに略直交する方向に延びる切込線３０を備えた滑止部の概略正面図で、図４（ａ）は熱収縮前の、図４（ｂ）は熱収縮後の正面図である。また、図４（ｃ）は、図４（ｂ）におけるＣ−Ｃ断面図である。
【００２５】
切込線３０の方向を主収縮方向Ｘに略直交する方向とした場合に、発泡樹脂シート１６が加熱収縮したとする。この場合、図４（ａ）に図示するとおり、切込線３０の右側縁部には右側向きの大きな収縮力ｘｒが、左側縁部には左側向きの大きな収縮力ｘｌが生じる。そして、この収縮力ｘｒ、ｘｌなどを受けた結果、熱収縮後には、切込線３０が主収縮方向Ｘに大きく広がった縦長略楕円の孔３０ａが形成されることになる。この縦長略楕円の孔３０ａは、主収縮方向Ｘに延びる切込線２０の場合（図２、図３の場合）に比して、大きくなりがちである。
【００２６】
かかる大きな孔３０ａは、見栄えの低下を招くだけでなく、ラベル付容器１０の断熱性能の低下も招く。さらに、孔３０ａが広がりすぎると、二つの切込線３０に挟まれる帯部３４の幅が過度に小さくなり、場合によっては、当該帯部３４が途中で断絶する場合もある。かかる帯部３４の断絶は、やはり、見栄えの低下、断熱性能の低下という問題を招く。
【００２７】
また、既述したとおり、本実施形態において、発泡樹脂シート１６は、その主収縮方向Ｘが、容器の周方向となるように容器本体１２に装着されている。そのため、切込線２０を主収縮方向Ｘに延びる直線状とした場合（図２，図３の場合）、図３（ａ），（ｂ）から明らかなとおり、当該切込線２０の周縁に形成される微小突起２２は、間隔を開けて上下方向に並ぶことになる。そして、微小突起２２が上下方向に並ぶことで、指に対して容器１０が下方へ相対移動する際の摩擦力が向上し、指からの容器１０の滑落が効果的に防止される。
【００２８】
一方、切込線３０を縦直線状（すなわち、主収縮方向に対して略直交する方向）とした場合（図４の場合）、切込線３０の縁部に形成される微小突起３２は、間隔を開けて容器１０の周方向に並ぶことになる。かかる周方向に並んだ微小突起３２は、指の周方向への滑りは効果的に防止できるが、上下方向の滑りを効果的に防止することはできない。換言すれば、横直線状の切込線２０の場合に比して、縦直線状の切込線３０は、容器１０の滑落防止効果が低いといえる。そのため、本実施形態では、図２，図３に図示するように、切込線２０を、主収縮方向Ｘに延びる直線状としている。
【００２９】
なお、加熱収縮に伴う切込線２０の拡大が、ある程度、抑えられるのであれば、切込線２０は、必ずしも主収縮方向Ｘに平行である必要はなく、例えば、図５（ａ）に図示するように、主収縮方向Ｘに対して若干傾斜した切込線２０としてもよい。この場合の傾斜角度（切込線２０と主収縮方向Ｘとが成す角度）αは、４５度以下であることが望ましく、１０度以下であれば尚望ましい。
【００３０】
また、切込線２０の本数は、１以上であれば特に限定されないが、２本以上であることが望ましい。切込線２０が複数である場合、この複数の切込線２０は、図２や図５（ａ）に図示するように、上下方向（すなわち、主収縮方向Ｘに略直交する方向）に配設されることが望ましい。また、図５（ｂ）に図示するように、複数の切込線２０を、周方向に少しずつズラしながら、上下方向に配設するようにしてもよい。さらに、図６（ａ）に図示するように、複数の切込線２０を上下方向ではなく、周方向に配設するようにしてもよい。
【００３１】
ここで、再び図２を参照して、各切込線２０の形状について、さらに説明する。各切込線の長さＬは、滑落防止のためには、大きいことが望ましいが、意匠性や断熱性を考慮すれば、小さいことが望ましいといえる。そこで、これらの事情を考慮すると、切込線２０の長さＬは、人の指幅相当の長さ、具体的には、５ｍｍ〜３０ｍｍであることが望ましく、１０ｍｍ〜２０ｍｍであれば尚望ましいといえる。
【００３２】
また、滑落防止のためには、指に接触する切込線２０の本数が多いほど望ましい。したがって、切込線２０の配設ピッチＰは、滑落防止のためには、小さいほどよいと言える。しかし、配設ピッチＰが小さすぎると、切込線２０で挟まれる帯部２４の幅が小さくなりすぎて、場合によっては、帯部２４の断絶という問題も招く。そこで、これらの事情を考慮すると、切込線２０の配設ピッチＰは、２ｍｍ〜１０ｍｍであることが望ましく、３ｍｍ〜５ｍｍであれば尚望ましい。なお、ここで示した切込線２０の長さＬおよび配設ピッチＰの値は、いずれも、加熱収縮前の値である。また、ここで示した値は、一例であり、発泡樹脂シート１６の特性や容器本体１２の形状やサイズなどを考慮したうえで、上記以外の寸法を採用してもよい。
【００３３】
滑止部１８は、以上のような切込線２０が１以上集まって構成される。この滑止部１８は、滑落防止のためには、大面積、かつ、多数であることが望ましい。しかし、見栄えや断熱性を考慮すると、滑止部１８の面積は、極力小さく、かつ、少数であることが望ましい。そこで、これらの事情を考慮すると、複数の切込から構成される滑止部１８は、容器１０を手持ち保持するユーザの指が接触しやすい位置にのみ形成されることが望ましいと言える。具体的には、ユーザは、容器１０の上側、特に、容器１０の上半分（容器１０の底部から容器全長の１／２以上離れた高さ位置）を把持する場合が多い。そのため、滑止部１８は、図１に図示するように、容器１０の上半分の範囲に形成されることが望ましい。また、図６（ｂ）に図示するように、ユーザは、通常、容器１０のうち、互いに１８０度離れた二箇所を把持することが多い。そこで、滑止部１８も、この容器１０を把持する指位置と同様に、互いに１８０度離れた二箇所にそれぞれ設けることが望ましい。ただし、当然ながら、滑止部１８は、一箇所だけに設けられてもよいし、三箇所以上の場所に設けられてもよい。
【００３４】
ところで、図３（ａ）、図３（ｂ）の比較から明らかなとおり、また、既述したとおり、一直線状の切込線２０の場合、熱収縮後における縁部のメクレ量（微小突起２２の突出量）は、その位置によって異なる。具体的には、切込線２０の両端に近づくほど、微小突起２２の突出量が小さくなり、滑落防止効果が低下する。かかる滑落防止効果の低下を防ぐために、切込線２０の形状を特殊なものとしてもよい。
【００３５】
具体的には、例えば、図７（ａ）に図示するように、切込線２０を、主収縮方向Ｘに延びる主切込線２６と、当該主切込線２６に交差する一対の補助切込線２８と、で構成するようにしてもよい。補助切込線２８は、主切込線２６の両端から上下方向に延びている。したがって、切込線２０全体としては、略Ｉ字状となっている。
【００３６】
図７（ｂ）は、略Ｉ字状の切込線２０が形成された状態で、発泡樹脂シート１６が熱収縮した際の概略正面図である。この場合、主切込線２６の縁部が外側に向かって突出する（メクれる）ことになるが、主切込線２６の両端には上下方向に延びる補助切込線２８が形成されている。そのため、主切込線２６の端部近傍であっても、この補助切込線２８の幅相当量は、容易に突出することが出来る。その結果、主切込線２６の端部近傍においても、十分な大きさの微小突起２２（メクれ）が得られ、高い滑落防止効果が得られる。つまり、主切込線２６の両端に交差する補助切込線２８を形成しておくことで、より確実に容器１０の手持ち滑落を防止できる。
【００３７】
なお、図７では、補助切込線２８を、主切込線２６の上下方向に延びる形状としているが、図８（ａ）、図８（ｂ）に図示するように、補助切込線２８を、主切込線２６の上側にのみ、または、下側にのみ延ばすようにしてもよい。かかる構成としても、主切込線２６の縁部は、その端部に至るまでは、十分に突出することができるため、高い滑落防止効果を得ることができる。また、補助切込線２８は、必ずしも、主切込線２６の端部に位置する必要はなく、端部に近い位置であるなら、端部より僅かに内側の位置に設けられてもよい。
【００３８】
さらに、これまで一直線状の切込線２０（または主切込線２６）を例に挙げて説明してきたが、切込線２０は、必ずしも一直線状である必要はなく、図９（ａ）に図示するような略Ｖ字状の切込線２０を設けるようにしてもよい。また、図９（ｂ）に図示するように、切込線２０を、略円弧状としてもよい。
【００３９】
最後に、これまで説明した包装ラベル１４の製造の流れについて図１０を用いて簡単に説明する。包装ラベル１４は、既述したとおり、熱収縮性を備えた発泡樹脂シート１６から構成される。したがって、包装ラベル１４を製造する場合には、まず、図１０（ａ）に図示するように、帯状の発泡樹脂シート１６を、その両端を重ね合わせて接合し、筒状に形成する。このとき、主収縮方向が、周方向となるようにする。続いて、この筒状に形成された発泡樹脂シート１６に、滑落防止のための切込線２０を形成する。
【００４０】
切込線２０が形成されれば、この筒状の発泡樹脂シート１６を、図１０（ｂ）に図示するように、容器本体１２の全長に応じた長さに順次裁断する。そして、裁断により得られた筒状の包装ラベル１４の内側に容器本体１２を配置し、この状態で、包装ラベル１４を加熱収縮させることで、包装ラベル１４が容器本体１２に密着したラベル付容器１０が形成される。包装ラベル１４が加熱収縮すると、事前形成された切込線２０の縁部が外側にメクれあがって突出し、滑落防止のための微小突起２２を形成する。そして、この微小突起２２が存在することにより、容器の手持ち滑落が効果的に防止される。
【００４１】
以上の説明から明らかなとおり、予め、加熱収縮前の発泡樹脂シート１６に切込線２０を形成さえしておけば、当該発泡樹脂シート１６を容器本体１２に装着（加熱収縮）させた際には、指の滑りを防止する突出（メクれ）が自動的に形成されることになる。換言すれば、本実施形態によれば、切込線２０の形成という極めて簡易な工程を追加するだけで、容器の滑落を効果的に防止でき得る包装ラベル１４、および、ラベル付容器１０を得ることができる。
【図面の簡単な説明】
【００４２】
【図１】本発明の実施形態であるラベル付容器の概略斜視図である。
【図２】滑止部周辺の概略正面図であり、（ａ）は熱収縮前、（ｂ）は熱収縮後である。
【図３】図２（ｂ）におけるＡ−Ａ断面図、および、Ｂ−Ｂ断面図である。
【図４】主収縮方向に略直交する切込線を備えた滑止部の（ａ）熱収縮前の概略正面図、（ｂ）熱収縮後の概略正面図、（ｃ）断面図である。
【図５】他の切込線の一例を示す図である。
【図６】（ａ）は他のラベル付容器の概略正面図であり、（ｂ）はラベル付容器を手持ち保持した際の概略上面図である。
【図７】他の切込線の一例を示す図である。
【図８】他の切込線の一例を示す図である。
【図９】他の切込線の一例を示す図である。
【図１０】包装ラベルの製造の流れを示す図である。
【符号の説明】
【００４３】
１０  ラベル付容器、１２  容器本体、１４  包装ラベル、１６  発泡樹脂シート、１８  滑止部、３０，２０  切込線、２２，３２  微小突起、２４，３４  帯部、２６  主切込線、２８  補助切込線。
【図１】
0005224865.tif 000002
【図２】
0005224865.tif 000003
【図３】
0005224865.tif 000004
【図４】
0005224865.tif 000005
【図５】
0005224865.tif 000006
【図６】
0005224865.tif 000007
【図７】
0005224865.tif 000008
【図８】
0005224865.tif 000009
【図９】
0005224865.tif 000010
【図１０】
0005224865.tif 000011